(57)【要約】      （修正有）【課題】録画装置が再生機器毎に録画データを管理しつつ、再生機器間で録画データの再生権利を移譲できる録画再生システムを提供する。【解決手段】録画装置２は、携帯端末１Ａから予約情報を受信して、この予約情報に基づいて動画を録画する録画手段と、録画された録画データを鍵情報４３を用いて暗号化する暗号化手段と、鍵情報４３を携帯端末１Ａに送信する第１の送信手段と、携帯端末１Ａから鍵情報４３を受信した場合、携帯端末１Ａに対して暗号化された録画データを送信する第２の送信手段とを備え、携帯端末１Ａは、録画装置２に対して予約情報を送信する第３の送信手段と、録画装置２により送信された鍵情報４３を受信する第１の受信手段と、録画装置２により送信された録画データを受信する第２の受信手段と、受信された録画データを鍵情報４３を用いて復号する復号手段とを備えた。【選択図】図６
2011139118.tif 000002
【特許請求の範囲】
【請求項１】
携帯端末から予約情報を受信して、この予約情報に基づいて動画を録画する録画手段と、
前記録画手段により録画された録画データを鍵情報を用いて暗号化する暗号化手段と、
前記暗号化手段により用いられた鍵情報を前記携帯端末に対して送信する第１の送信手段と、
前記第１の送信手段により送信された鍵情報を受信した場合、送信元の携帯端末のみに対して前記暗号化手段により暗号化された録画データを送信する第２の送信手段とを備えたことを特徴とする録画装置。
【請求項２】
前記第２の送信手段により前記暗号化された録画データが送信された場合、この録画データを消去する消去手段を備えたことを特徴とする請求項１記載の録画装置。
【請求項３】
録画装置に対して予約情報を送信する第１の送信手段と、
前記第１の送信手段により送信された予約情報に基づいて前記録画装置により録画された録画データを暗号化するために用いられた鍵情報を受信する第１の受信手段と、
前記第１の受信手段により受信された鍵情報を前記録画装置に送信して、この鍵情報で復号される録画データを受信する第２の受信手段と、
前記第２の受信手段により受信された録画データを前記第１の受信手段により受信された鍵情報を用いて復号する復号手段とを備えたことを特徴とする携帯端末。
【請求項４】
前記第１の受信手段により受信された前記録画装置により録画された録画データを暗号化するために用いられた鍵情報を、他の携帯端末に対して送信する第３の送信手段と、
前記第３の送信手段により前記鍵情報が前記他の携帯端末に対して送信された場合、この鍵情報を自端末から消去する消去手段とを備えたことを特徴とする請求項３記載の携帯端末。
【請求項５】
録画装置により録画された録画データを暗号化するために用いられた鍵情報を他の携帯端末から受信する第１の受信手段と、
前記第１の受信手段により受信された鍵情報を前記録画装置に送信して、この鍵情報で復号される録画データを前記録画装置から受信する第２の受信手段と、
前記第２の受信手段により受信された録画データを前記第１の受信手段により受信した鍵情報を用いて復号する復号手段とを備えたことを特徴とする携帯端末。
【請求項６】
動画を録画する録画装置と、前記録画装置に対して録画を指示するとともに前記録画装置から録画データを取得して再生する携帯端末とを備えた録画再生システムであって、
前記録画装置は、
前記携帯端末から予約情報を受信して、この予約情報に基づいて動画を録画する録画手段と、
前記録画手段により録画された録画データを鍵情報を用いて暗号化する暗号化手段と、
前記暗号化手段により用いられた鍵情報を前記携帯端末に送信する第１の送信手段と、
前記携帯端末から前記第１の送信手段により送信された鍵情報を受信した場合、前記携帯端末に対して前記暗号化手段により暗号化された録画データを送信する第２の送信手段とを備え、
前記携帯端末は、
前記録画装置に対して予約情報を送信する第３の送信手段と、
前記録画装置の第１の送信手段により送信された前記鍵情報を受信する第１の受信手段と、
前記録画装置の第２の送信手段により送信された前記録画データを受信する第２の受信手段と、
前記第２の受信手段により受信された録画データを前記第１の受信手段により受信された鍵情報を用いて復号する復号手段とを備えたことを特徴とする録画再生システム。
【請求項７】
動画を録画する録画装置と、前記録画装置に対して録画を指示するとともに前記録画装置から録画データを取得して再生する複数の携帯端末とを備えた録画再生システムであって、
前記録画装置は、
第１の携帯端末から予約情報を受信して、この予約情報に基づいて動画を録画する録画手段と、
前記録画手段により録画された録画データを鍵情報を用いて暗号化する暗号化手段と、
前記暗号化手段により用いられた鍵情報を前記第１の携帯端末に送信する第１の送信手段と、
前記複数の携帯端末のうちのいずれかから前記第１の送信手段により送信された鍵情報を受信した場合、この携帯端末に対して前記暗号化手段により暗号化された録画データを送信する第２の送信手段とを備え、
前記第１の携帯端末は、
前記録画装置に対して予約情報を送信する第３の送信手段と、
前記録画装置の第１の送信手段により送信された鍵情報を受信する第１の受信手段と、
前記第１の受信手段により受信された鍵情報を前記第２の携帯端末に送信する第４の送信手段と、
前記第４の送信手段により前記鍵情報が送信された場合、この鍵情報を消去する消去手段とを備え、
前記第２の携帯端末は、
前記第２の携帯端末の第４の送信手段により送信された鍵情報を受信する第２の受信手段と、
前記第２の受信手段により受信された鍵情報を前記録画装置に送信して、前記録画装置の第２の送信手段により送信された録画データを受信する第３の受信手段と、
前記第３の受信手段により受信された録画データを前記第２の受信手段により受信された鍵情報を用いて復号する復号手段とを備えたことを特徴とする録画再生システム。
【請求項８】
携帯端末から予約情報を受信して、この予約情報に基づいて動画を録画する録画ステップと、
前記録画ステップにて録画した録画データを鍵情報を用いて暗号化する暗号化ステップと、
前記暗号化ステップにて用いた鍵情報を前記携帯端末に送信する第１の送信ステップと、
前記第１の送信ステップにて送信した鍵情報を受信した場合、送信元に対して前記暗号化ステップにて暗号化した録画データを送信する第２の送信ステップとを行うことを特徴とする録画装置の録画再生方法。
【請求項９】
録画装置に対して予約情報を送信する第１の送信ステップと、
前記第１の送信ステップにて送信した予約情報に基づいて前記録画装置により録画された録画データを暗号化するために用いた鍵情報を受信する第１の受信ステップと、
前記第１の受信ステップにより受信した鍵情報を前記録画装置に送信して、この鍵情報で復号される録画データを受信する第２の受信ステップと、
前記第２の受信ステップにて受信した録画データを前記第１の受信ステップにて受信した鍵情報を用いて復号する復号ステップとを行うことを特徴とする携帯端末の録画再生方法。
【請求項１０】
前記第１の受信ステップにて受信した前記鍵情報を、他の携帯端末に対して送信する第３の送信ステップと、
前記第３の送信ステップにて前記鍵情報を送信した場合、この鍵情報を消去する消去ステップとを行うことを特徴とする請求項９記載の携帯端末の録画再生方法。
【請求項１１】
録画装置により録画された録画データを暗号化するために用いられた鍵情報を他の携帯端末から受信する第１の受信ステップと、
前記第１の受信ステップにて受信した鍵情報で復号される録画データを前記録画装置から受信する第２の受信ステップと、
前記第２の受信ステップにて受信した録画データを前記第１の受信ステップにて受信した鍵情報を用いて復号する復号手段とを行うことを特徴とする携帯端末の録画再生方法。
【請求項１２】
動画を録画する録画装置と、前記録画装置に対して録画を指示するとともに前記録画装置から録画データを取得して再生する携帯端末とを備えた録画再生システムにおける録画再生方法であって、
前記録画装置は、
前記携帯端末から予約情報を受信して、この予約情報に基づいて動画を録画する録画ステップと、
前記録画ステップにて録画した録画データを鍵情報を用いて暗号化する暗号化ステップと、
前記暗号化ステップにて用いた鍵情報を前記携帯端末に送信する第１の送信ステップと、
前記携帯端末から前記第１の送信ステップにて送信した鍵情報を受信した場合、前記暗号化ステップにて暗号化した録画データを前記携帯端末に対して送信する第２の送信ステップとを行い、
前記携帯端末は、
前記録画装置に対して予約情報を送信する第３の送信ステップと、
前記録画装置により前記第１の送信ステップにて送信された前記鍵情報を受信する第１の受信ステップと、
前記録画装置により前記第２の送信ステップにて送信された前記録画データを受信する第２の受信ステップと、
前記第２の受信ステップにより受信した録画データを前記第１の受信ステップにて受信した鍵情報を用いて復号する復号ステップとを行うことを特徴とする録画再生システムの録画再生方法。
【請求項１３】
動画を録画する録画装置と、前記録画装置に対して録画を指示するとともに前記録画装置から録画データを取得して再生する複数の携帯端末とを備えた録画再生システムの録画再生方法であって、
前記録画装置は、
第１の携帯端末から予約情報を受信して、この予約情報に基づいて動画を録画する録画ステップと、
前記録画ステップにて録画した録画データを鍵情報を用いて暗号化する暗号化ステップと、
前記暗号化ステップにて用いた鍵情報を前記第１の携帯端末に送信する第１の送信ステップと、
前記複数の携帯端末のうちのいずれかから前記第１の送信ステップにて送信した鍵情報を受信した場合、この携帯端末に対して前記暗号化ステップにて暗号化した録画データを送信する第２の送信ステップとを行い、
前記第１の携帯端末は、
前記録画装置に対して予約情報を送信する第３の送信ステップと、
前記録画装置の第１の送信ステップにより送信された鍵情報を受信する第１の受信ステップと、
前記第１の受信ステップにて受信した鍵情報を前記第２の携帯端末に送信する第４の送信ステップと、
前記第４の送信ステップにて前記鍵情報を送信した場合、この鍵情報を消去する消去ステップとを行い、
前記第２の携帯端末は、
前記第２の携帯端末の第４の送信ステップにて送信された鍵情報を受信する第２の受信ステップと、
前記第２の受信ステップにて受信された鍵情報を前記録画装置に送信して、前記録画装置の第２の送信ステップにて送信された録画データを受信する第３の受信ステップと、
前記第３の受信ステップにて受信した録画データを前記第２の受信ステップにて受信した鍵情報を用いて復号する復号ステップとを行うことを特徴とする録画再生システムの録画再生方法。
【発明の詳細な説明】
【技術分野】
【０００１】
本発明は、動画を録画する録画装置、録画装置で録画された動画データを取得して再生する携帯端末、これらの録画装置や携帯端末を有する録画再生システム、及び、これらの録画装置、携帯端末、録画再生システムにおける録画再生方法に関する。
【背景技術】
【０００２】
近年、様々な通信機能を備えた携帯端末がユーザに常時携帯されるようになったのに伴い、例えば家庭に設置されている録画装置に対して、携帯端末から番組情報を含んだ録画指示を送信するとともに、録画指示を受信した録画装置が、受信した番組情報に基づいて録画処理を行うようなシステムが開発されている。
【０００３】
例えば特許文献１によると、端末装置からのリモート録画予約要求に従って録画再生装置にて記録されたコンテンツデータの複製の再生を、リモート録画予約要求元である端末装置に限って可能とする制限を設けたコンテンツ記録システムが提案されている。このコンテンツ記録システムは、端末装置が録画再生装置にコンテンツデータのリモート録画予約要求を送信する都度、コンテンツデータを暗号化するための暗号キーであるイベントＩＤと機器ＩＤを送信し、録画再生装置は、リモート録画予約要求に基づいてコンテンツデータを録画し、録画再生装置は録画したコンテンツデータの複製を外部に持ち出す際に、そのコンテンツデータを暗号キーで暗号化してコンテンツデータの複製を作成し、端末装置は、録画再生装置にて暗号化された複製のコンテンツデータを取得して、暗号キーを用いて解除するものである。
【先行技術文献】
【特許文献】
【０００４】
【特許文献１】特開２００８−１７７９６２号公報
【発明の概要】
【発明が解決しようとする課題】
【０００５】
端末装置からのリモート録画予約要求に従って録画再生装置にて記録されたコンテンツデータの複製の再生を、リモート録画予約要求元の端末装置に制限する方法では、ユーザが録画再生装置のリモート操作が可能な場所にいるときには、難なく録画予約を行うことができるが、録画再生装置のリモート操作が不可能な場所にいるときには、録画再生装置に対して予約録画を行いたくとも予約録画ができないという問題があった。この際、例えば、ユーザが、録画再生装置のリモート操作が可能な場所にいる家族などに代替で予約録画を頼むことが考えられるが、その場合であっても、予約録画を行った端末装置でしかそのコンテンツデータを再生することができないという問題があった。
【０００６】
本発明は、上記課題を鑑みてなされてものであり、録画装置が再生機器毎に録画データを管理しつつ、再生機器間で録画データの再生権利を移譲できる録画装置、携帯端末、録画再生システム、及び、これらの録画装置、携帯端末、録画再生システムにおける録画再生方法を提供することを目的とする。
【課題を解決するための手段】
【０００７】
上記課題を解決するために、本発明に係る録画装置は、携帯端末から予約情報を受信して、この予約情報に基づいて動画を録画する録画手段と、前記録画手段により録画された録画データを鍵情報を用いて暗号化する暗号化手段と、前記暗号化手段により用いられた鍵情報を前記携帯端末に対して送信する第１の送信手段と、前記第１の送信手段により送信された鍵情報を受信した場合、送信元の携帯端末のみに対して前記暗号化手段により暗号化された録画データを送信する第２の送信手段とを備えたことを特徴とする。
【０００８】
また、本発明に係る携帯端末は、録画装置に対して予約情報を送信する第１の送信手段と、前記第１の送信手段により送信された予約情報に基づいて前記録画装置により録画された録画データを暗号化するために用いられた鍵情報を受信する第１の受信手段と、前記第１の受信手段により受信された鍵情報を前記録画装置に送信して、この鍵情報で復号される録画データを受信する第２の受信手段と、前記第２の受信手段により受信された録画データを前記第１の受信手段により受信された鍵情報を用いて復号する復号手段とを備えたことを特徴とする。
【０００９】
また、請求項３に記載された携帯端末において、前記第１の受信手段により受信された前記録画装置により録画された録画データを暗号化するために用いられた鍵情報を、他の携帯端末に対して送信する第３の送信手段と、前記第３の送信手段により前記鍵情報が前記他の携帯端末に対して送信された場合、この鍵情報を自端末から消去する消去手段とを備えたことを特徴とする。
【００１０】
また、本発明に係る録画再生システムは、動画を録画する録画装置と、前記録画装置に対して録画を指示するとともに前記録画装置から録画データを取得して再生する携帯端末とを備えた録画再生システムであって、前記録画装置は、前記携帯端末から予約情報を受信して、この予約情報に基づいて動画を録画する録画手段と、前記録画手段により録画された録画データを鍵情報を用いて暗号化する暗号化手段と、前記暗号化手段により用いられた鍵情報を前記携帯端末に送信する第１の送信手段と、前記携帯端末から前記第１の送信手段により送信された鍵情報を受信した場合、前記携帯端末に対して前記暗号化手段により暗号化された録画データを送信する第２の送信手段とを備え、前記携帯端末は、前記録画装置に対して予約情報を送信する第３の送信手段と、前記録画装置の第１の送信手段により送信された前記鍵情報を受信する第１の受信手段と、前記録画装置の第２の送信手段により送信された前記録画データを受信する第２の受信手段と、前記第２の受信手段により受信された録画データを前記第１の受信手段により受信された鍵情報を用いて復号する復号手段とを備えたことを特徴とする。
【発明の効果】
【００１１】
本発明に係る録画装置、携帯端末、録画再生システム、及び、これらの録画装置、携帯端末、録画再生システムにおける録画再生方法によると、録画装置が再生機器毎に録画データを管理しつつ、再生機器間で録画データの再生権利を移譲することが可能となる。
【図面の簡単な説明】
【００１２】
【図１】本発明に係る録画再生システムを示すシステム構成図。
【図２】（Ａ）は、本発明に係る録画再生システムにおいて携帯端末（携帯電話機）と録画装置とが接続された場合にデータ通信を行う方法を説明するための概略図、（Ｂ）は、本発明に係る録画再生システムにおいて携帯端末（携帯電話機）と録画装置とが接続されていない場合にデータ通信を行う方法を説明するための概略図。
【図３】本発明に係る携帯端末（携帯電話機）の機能を示すブロック図。
【図４】本発明に係る録画装置の機能を示すブロック図。
【図５】本発明に係る録画再生システムにおいて、携帯電話機が予約録画を行って同一の携帯電話機が録画データの再生を行う場合の、携帯電話機、録画装置が行う録画再生制御処理を説明するための概略図。
【図６】本発明に係る録画再生システムにおいて、携帯電話機が予約録画を行って他の携帯電話機が録画データの再生を行う場合の、携帯電話機、録画装置が行う録画再生制御処理を説明するための概略図。
【図７】本発明に係る録画再生システムが録画制御処理を行う際の手順を示すフローチャート。
【図８】権利情報の一例を示すデータ構成図。
【図９】本発明に係る録画再生システムが権利移転制御処理を行う際の手順を示すフローチャート。
【図１０】本発明に係る録画再生システムが再生制御処理を行う際の手順を示すフローチャート。
【図１１】（Ａ）乃至（Ｅ）は、録画装置が電力供給機能を備えていた場合の、録画再生システムの使用例を示す概略図。
【発明を実施するための形態】
【００１３】
本発明に係る録画装置、携帯端末、録画再生システム、及び、これらの録画装置、携帯端末、録画再生システムにおける録画再生方法の実施形態について、添付図面を参照しながら説明する。本発明の携帯端末として、携帯電話機１Ａ、１Ｂ、１Ｃを例に挙げて説明する。なお、本発明に係る録画再生システム１００に３の携帯電話機１Ａ、１Ｂ、１Ｃが備えられている場合について説明するが、これに限定されず、任意の携帯端末が任意の数だけ備えられていて良い。
【００１４】
図１は、本発明に係る録画再生システム１００を示すシステム構成図である。図１に示すように、録画再生システム１００は、例えば動画データなどのマルチメディアコンテンツを記憶して再生できる複数の携帯電話機１Ａ、１Ｂ、１Ｃ、放送局により放送されている動画などのマルチメディアコンテンツを受信して録画できる録画装置２を備えている。
【００１５】
また、携帯電話機１Ａ、１Ｂ、１Ｃと録画装置２とは、相互に通信可能な通信機能を備えている。これらの通信機能は、例えば、Ｗ−ＬＡＮ（Ｗｉｒｅｌｅｓｓ  ＬＡＮ）、Ｂｌｕｅｔｏｏｔｈ（登録商標）、赤外線通信などの近距離無線通信機能や、ＵＳＢ（Ｕｎｉｖｅｒｓａｌ  Ｓｅｒｉａｌ  Ｂｕｓ）などの有線通信機能などであり、携帯電話機１Ａ、１Ｂ、１Ｃと録画装置２とはセキュア通信が可能となっている。以下、携帯電話機１Ａ、１Ｂ、１Ｃと録画装置２とにおいてＢｌｕｅｔｏｏｔｈなどの近距離無線通信が可能なものとして説明する。
【００１６】
図２（Ａ）は、携帯電話機１Ａ、１Ｂ、１Ｃと録画装置２とが接続された場合にデータ通信を行う方法を説明するための概略図であり、図２（Ｂ）は、携帯電話機１Ａ、１Ｂ、１Ｃと録画装置２とが接続されていない場合にデータ通信を行う方法を説明するための概略図である。図２（Ａ）に示すように、携帯電話機１及び録画装置２は、近接されている状態で相互に接続され、このときには相互にデータ通信を行うことができる。図２（Ｂ）に示すように、携帯電話機１及び録画装置２は、離間されている状態で接続が解除され、このときには相互にデータ通信を行うことができない。または、携帯電話機１Ａ、１Ｂ、１Ｃと録画装置２とは、電気的に接続されている状態で相互に接続され、電気的に分離されている状態で接続が解除されるようにしても、接触の状態で相互に接続され、非接触の状態で接続が解除されるようにしても良い。以下、携帯電話機１Ａ、１Ｂ、１Ｃと録画装置２とは、相互に所定距離内にある場合にデータ通信が可能となるものとして説明する。
【００１７】
図３は、携帯電話機１の機能を示すブロック図である。図３に示すように、携帯電話機１は、主制御部１０、電源回路部１１、操作入力制御部１２、表示制御部１３、音声制御部１４、通信制御部１５、近距離無線通信制御部１６、記憶部１７、及び外部接続部１８がバスによって相互に通信可能に接続されて構成されている。
【００１８】
主制御部１０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、後述する録画制御処理や権利移転処理、再生制御処理、その他の様々な演算処理や制御処理等を行う。電源回路部１１はバッテリ等の電源供給源を具備し、例えばユーザによる操作キー１２ａを介した入力に基づいて電源のオン／オフ状態を切り替え、電源がオン状態の場合に電力供給源から各部に対して電力を供給して、携帯電話機１を動作可能にする。
【００１９】
操作入力制御部１２は、ユーザに押下されることによりデータを入力する操作キー１２ａを備えていて、操作キー１２ａの押下を検出すると、その押下されたキーを示す信号を生成して主制御部１０に伝送する。信号を受信した主制御部１０は、この信号に基づいた処理を行う。表示制御部１３は、ディスプレイ１３ａを備えていて、主制御部１０の制御に基づいて、文字データや画像データなどを含んだ表示データをディスプレイ１３ａに表示させる。
【００２０】
音声制御部１４は、音声を入力するマイクロフォン１４ａ、音声を出力するスピーカ１４ｂを備えていて、主制御部１０の制御に基づいて、マイクロフォン１４ａで入力された音声からアナログ音声信号を生成し、このアナログ音声信号をデジタル音声信号に変換する。また音声制御部１４は、デジタル音声信号を取得すると、主制御部１０の制御に基づいて、このデジタル音声信号をアナログ音声信号に変換し、スピーカ１４ｂから音声として出力する。
【００２１】
通信制御部１５は、主制御部１０の制御に基づいて、基地局からアンテナ１５ａを介して受信した受信信号をスペクトラム逆拡散処理してデータを復元する。このデータは、主制御部２０の指示により、音声制御部１４に伝送されてスピーカ１４ｂから出力されたり、表示制御部１３に伝送されてディスプレイ１３ａに表示されたり、または記憶部１７に記録されたりする。また通信制御部１５は、主制御部１０の制御に基づいて、マイクロフォン１４ａで入力された音声データや、操作キー１２ａを介して入力されたデータや記憶部１７に記憶されたデータを取得すると、これらのデータに対してスペクトラム拡散処理を行い、基地局に対してアンテナ１５ａを介して送信する。
【００２２】
近距離無線通信制御部１６は、例えばＢｌｕｅｔｏｏｔｈ（登録商標）などの近距離無線通信の通信インタフェースを備えていて、他の通信機器から無線信号を受信して電気信号を生成した際に、この電気信号から、例えばＢｌｕｅｔｏｏｔｈの規格に基づいて電気信号を変換して主制御部１０に伝送する。また、近距離無線通信制御部１６は、主制御部２０の制御に基づいて、例えばＢｌｕｅｔｏｏｔｈの規格に基づいた電気信号を生成し、この電気信号に基づいて無線信号を生成させて送信する。
【００２３】
記憶部１７は、主制御部１０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、データベース、主制御部１０が処理を行う際に使用されるデータを一時的に記憶するＲＡＭ（Ｒａｎｄｏｍ  Ａｃｃｅｓｓ  Ｍｅｍｏｒｙ）等から構成される。また、主制御部１０が後述する録画制御処理や権利移転処理、再生制御処理を行う際の処理プログラムは、例えばＲＯＭに記憶されているものとする。また、後述する予約情報や予約番組情報４２、鍵情報４３はＲＡＭや不揮発性メモリなどに逐次記憶されるものとする。
【００２４】
外部接続部１８は、例えばメモリカードやＵＳＢなど、携帯電話機１Ａ、１Ｂ、１Ｃに外部接続される機器に対してデータ通信を行うためのインタフェースを備えていて、機器が外部接続された際に、主制御部１０の制御部に基づいてデータ通信を行う。
【００２５】
図４は、録画装置２の機能を示すブロック図である。図４に示すように、録画装置２は、主制御部２０、電源回路部２１、テレビ受信部２２、近距離無線通信制御部２３、記憶部２４、及び外部接続部２５がバスによって相互に通信可能に接続されて構成されている。
【００２６】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、後述する録画制御処理や再生制御処理、その他の様々な演算処理や制御処理等を行う。電源回路部２１はＡＣ電源等の電源供給源に接続され、例えば電源供給源に接続されているか否かにより電源のオン／オフ状態を切り替え、電源がオン状態の場合に電力供給源から各部に対して電力を供給して、録画装置２を動作可能にする。
【００２７】
テレビ受信部２２は、チューナ、復調部、ＴＳデコーダ、字幕デコーダを備えている。チューナは、地上波デジタルテレビ放送の放送局（図示せず）から放送された地上波デジタルテレビ放送（地上波デジタルワンセグ放送も含む）の変調波を、アンテナを介して受信する。復調部は、チューナが受信した変調波を取得して復調し、地上波デジタルテレビ放送の符号化映像情報を生成する。ＴＳデコーダは、復調部が生成した符号化映像情報を取得して復号し、符号化映像情報を記憶部２４に伝送する。これらの処理により、地上波デジタルテレビ放送などのテレビ番組が録画される。
【００２８】
近距離無線通信制御部２３は、例えばＢｌｕｅｔｏｏｔｈ（登録商標）などの近距離無線通信の通信インタフェースを備えていて、他の通信機器から無線信号を受信して電気信号を生成した際に、この電気信号から、例えばＢｌｕｅｔｏｏｔｈの規格に基づいて電気信号を変換して主制御部２０に伝送する。また、近距離無線通信制御部２３は、主制御部２０の制御に基づいて、例えばＢｌｕｅｔｏｏｔｈの規格に基づいた電気信号を生成し、この電気信号に基づいて無線信号を生成させて送信する。
【００２９】
記憶部２４は、主制御部２０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、データベース、主制御部２０が処理を行う際に使用されるデータを一時的に記憶するＲＡＭ（Ｒａｎｄｏｍ  Ａｃｃｅｓｓ  Ｍｅｍｏｒｙ）等から構成される。また、主制御部１０が後述する録画制御処理や再生制御処理を行う際の処理プログラムは、例えばＲＯＭに記憶されているものとする。また、後述する登録機器情報３０や予約番組リスト４０などはＲＡＭや不揮発性メモリなどに逐次記憶される。
【００３０】
外部接続部２５は、外部ネットワークに対する接続インタフェースを備えている。録画装置２は、主制御部２０の制御に基づいて、他の通信装置に対して外部ネットワークを介した通信を行うことができる。
【００３１】
本発明に係る携帯端末（携帯電話機１Ａ、１Ｂ、１Ｃ）は、上述した構成に限定されず、少なくとも、録画装置２に対して録画対象の番組情報を送信する機能、録画装置２によって録画されたコンテンツを受信して再生する機能を備えていれば良い。また、本発明に係る録画装置２は、例えばテレビ録画再生機器やＰＣ（Ｐｅｒｓｏｎａｌ  Ｃｏｍｐｕｔｅｒ）などであり、上述した構成に限定されず、少なくとも、予約対象の番組情報を受信する機能、受信した番組情報に基づいてテレビ放送波を受信してコンテンツを蓄積する機能、蓄積されたコンテンツを携帯電話機１Ａ、１Ｂ、１Ｃにおいて再生可能な規格やサイズに再変換する機能、再変換されたコンテンツの複製を携帯電話機１Ａ、１Ｃ、１Ｃに送信する機能を備えていれば良い。
【００３２】
図５は、携帯電話機１Ａが予約録画を行って同一の携帯電話機１Ａが録画データの再生を行う場合の、携帯電話機１Ａ、録画装置２が行う録画再生制御処理を説明するための概略図である。図５に示すように、最初に、各々のユーザが携帯端末（例えば携帯電話機１Ａ）を録画装置２に登録する（ａ）。携帯電話機ＡのユーザＡ、携帯電話機ＢのユーザＢ、携帯電話機ＣのユーザＣなどがそれぞれ、携帯電話機の機器情報（例えば端末ＩＤや電話番号など）を録画装置２に登録する。これにより録画装置２に、図５に示すように、登録された機器情報が羅列された登録機器情報３０が記憶され、録画装置２は登録機器情報３０に含まれている機器からのみ録画予約を受け付けて録画を行う。
【００３３】
任意の携帯端末（例えば携帯電話機１Ａ）が録画装置２に登録された後、携帯電話機１Ａは予約対象の番組を選択して録画装置２に録画予約を登録する（ｂ）。録画装置２は、携帯端末から録画予約を登録されると、予約番組情報や鍵情報を含んだ権利情報を生成する（ｃ）。これらにより録画装置２に、図５に示すように、番組予約リスト４０が記憶される。番組予約リスト４０は、各々の録画予約に対して、録画予約を登録した携帯機器を示す機器情報４１、録画対象の番組情報を示す予約番組情報４２、録画データの暗号化・復号に使用される鍵情報４３が対応付けられた情報である。そして録画装置２は、録画予約リスト４０の情報に基づいて動画の録画を行う（ｄ）。
【００３４】
録画装置２に携帯電話機１Ａが接続されると、予約番組リスト４０において携帯電話機１Ａの機器情報４１に対応付けられた権利情報（予約番組情報４２と鍵情報４３）とが録画装置２から携帯電話機１Ａに転送される（ｅ）。これにより図５に示すように、携帯電話機１Ａには権利情報が記憶される。携帯電話機１Ａは、この権利情報を用いて録画装置２から録画データを取得して（ｆ）再生する。
【００３５】
なお、番組予約リスト４０において機器情報４１に基づいて権利情報が送信されるため、録画予約を行った携帯端末のみでその録画データの権利情報を取得することができる。また、番組予約リスト４０において権利情報に基づいて録画データが送信されるため、権利情報を保持している携帯端末のみでその録画データを取得することができる。
【００３６】
図６は、携帯電話機１Ｂが携帯電話機１Ａに予約録画を依頼した場合などに、携帯電話機１Ａが予約録画を行って他の携帯電話機１Ｂが録画データの再生を行う場合の、携帯電話機１Ａ、１Ｂ、録画装置２が行う録画再生制御処理を説明するための概略図である。図６に示すように、最初に、各々のユーザが携帯端末（例えば携帯電話機１Ａ）を録画装置２に登録する（ａ）。携帯電話機ＡのユーザＡ、携帯電話機ＢのユーザＢ、携帯電話機ＣのユーザＣなどがそれぞれ、携帯電話機の機器情報（例えば端末ＩＤや電話番号など）を録画装置２に登録する。これにより録画装置２に、図６に示すように、登録された機器情報が羅列された登録機器情報３０が記憶され、録画装置２は登録機器情報３０に含まれている機器からのみ録画予約を受け付けて録画を行う。
【００３７】
任意の携帯端末（例えば携帯電話機１Ａ、１Ｂ）が録画装置２に登録された後、例えば携帯電話機１Ａのユーザが携帯電話機１Ｂのユーザの依頼を受けたことにより、携帯電話機１Ａは予約対象の番組を選択して録画装置２に録画予約を登録する（ｂ）。録画装置２は、携帯端末から録画予約を登録されると、予約番組情報４２や鍵情報４３を含んだ権利情報を生成する（ｃ）。これらにより録画装置２に、図６に示すように、番組予約リスト４０が記憶される。番組予約リスト４０は、各々の録画予約に対して、録画予約を登録した携帯機器を示す機器情報４１、録画対象の番組情報を示す予約番組情報４２、録画データの暗号化・復号に使用される鍵情報４３が対応付けられた情報である。そして録画装置２は、録画予約リスト４０の情報に基づいて動画の録画を行う（ｄ）。
【００３８】
録画装置２に携帯電話機１Ａが接続されると、予約番組リスト４０において携帯電話機１Ａの機器情報４１に対応付けられた権利情報（予約番組情報４２と鍵情報４３）が録画装置２から携帯電話機１Ａに転送される（ｅ）。これにより図６に示すように、携帯電話機１Ａには権利情報が記憶される。
【００３９】
携帯電話機１Ａは、この権利情報を携帯電話機１Ｂに転送する（ｆ）。この際、権利情報はセキュア通信により授受される。またこのときに携帯電話機１Ａに記憶されている権利情報はプライベート保護のために削除される。そして、携帯電話機１Ｂは携帯電話機１Ａから取得した権利情報を用いて録画装置２から録画データを取得して（ｇ）再生する。
【００４０】
録画再生システム１００において、携帯電話機１Ａ、１Ｂ、１Ｃと録画装置２とがこのような録画再生制御処理を行う際の手順を、図７に示すフローチャートに基づいて説明する。なお、ユーザが携帯電話機１Ａを用いて予約録画を行う場合について説明するが、これに限定されず、携帯電話機１Ｂ、１Ｃであっても同様である。また、携帯電話機１Ａ、１Ｂ、１Ｃは、録画装置２に登録されているものとする（図５の（ａ）、図６の（ａ））。
【００４１】
ユーザは、録画したい番組を選択して、携帯電話機１Ａに録画予約リストを入力する。そしてユーザは、その録画予約リストを携帯電話機１Ａから録画装置２に転送させるように指示を出す。そのためにユーザが携帯電話機１Ａと録画装置２とを近接させる（図２（Ａ）に示す状態になる）と、携帯電話機１Ａと録画装置２とは相互に接続を開始する（Ｓ１０１）。そして携帯電話機１Ａと録画装置２とは、相互認証を行う（Ｓ１０３）。このとき、例えば録画装置２は、機器登録情報に携帯電話機１Ａが含まれていた場合に、認証に成功するものとする。録画装置に接続されたのが携帯電話機１Ａでなく、録画装置２に登録されていない他の携帯端末であった場合、相互認証に失敗する。
【００４２】
相互認証に成功すると、携帯電話機１Ａは録画装置２に録画予約リストを送信して、録画装置２はこの録画予約リストを受信する（Ｓ１０５；図５の（ｂ）、図６の（ｂ））。そして、携帯電話機１Ａと録画装置２とは相互に接続を解除する（Ｓ１０７）。
【００４３】
録画装置２の主制御部２０は、権利情報を生成して記憶部２４に記憶する（Ｓ１０９；図５の（ｃ）、図６の（ｃ））。図８は、権利情報を示すデータ構成図である。権利情報は、例えば図８に示すように、先頭に予約番組情報４２が、次に録画データの鍵情報４３が羅列されて結合された情報である。この鍵情報４３は、暗号化された録画データを復号するときに必要となる情報である。
【００４４】
録画装置２の主制御部２０は、ステップＳ１０５にて受信した録画予約リストに含まれる録画対象の番組について、録画開始時刻になったか否かを判断する（Ｓ１１１）。録画開始時刻になっていない場合（Ｓ１１１のＮｏ）は、録画装置２はそのまま待機する。録画開始時刻になった場合（Ｓ１１１のＹｅｓ）は、録画装置２は、録画番組の録画を開始する（Ｓ１１３；図５の（ｄ）、図６の（ｄ））。このとき、録画データはステップＳ１０９にて生成された権利情報に含まれる暗号鍵情報によって暗号化される。
【００４５】
ユーザは、録画装置２による録画が終了すると、携帯電話機１Ａに録画装置２から録画データを転送させるために、携帯電話機１Ａと録画装置２とを再び近接させる。携帯電話機１Ａと録画装置２とは、相互に通信可能領域に設置されると接続を開始する（Ｓ１１５）。そして、携帯電話機１Ａと録画装置２とは、ステップＳ１０３と同様に相互認証を行う（Ｓ１１７）。
【００４６】
相互認証に成功すると、録画装置２は、携帯電話機１Ａの機器情報と記憶部２４に記憶している番組予約リストとに基づいて、携帯電話機１に対して権利情報を送信する（Ｓ１１９；図５の（ｅ）、図６の（ｅ））。携帯電話機１Ａは、この権利情報を受信して、記憶部１７に記憶しておく。この権利情報は、録画装置２により録画された録画データを取得するために使用される。
【００４７】
このようにして録画再生システム１００において、携帯電話機１Ａは予約登録リスト（予約情報）を録画装置２に送信して、録画装置２に対して録画を依頼する。録画装置２は、携帯電話機１Ａからの録画の依頼を受けると、録画データを暗号化するための鍵情報を含んだ権利情報を生成した上で、予約情報に基づいて録画を行う。そして録画装置２は、録画が終了した後に、再び携帯電話機１Ａと接続されると、携帯電話機１Ａに対して権利情報を送信する。この権利情報は、携帯端末が録画データを取得するために必要な情報であり、携帯電話機１Ａに記憶される。
【００４８】
次に、録画装置２は、ステップＳ１１９にて送信された権利情報を携帯端末同士がやり取りする権利移転制御処理を行う。携帯電話機１Ａや他の携帯端末がこの権利移転制御処理を行う際の手順を、図９に示すフローチャートに基づいて説明する。なお、携帯電話機１Ａが携帯電話機１Ｂに対して権利情報を送信する場合について説明するが、これに限定されない。また、携帯電話機１Ａと携帯電話機１Ｂとが、携帯電話機１Ａ、１Ｂ、１Ｃと録画装置２との通信方法と同様の近距離無線通信を用いて通信を行う場合について説明するが、これに限定されず、ＵＳＢなどにより有線接続されてデータ通信されても、メモリカードなどの媒体を介してデータのやり取りを行っても、その他の方法であっても良い。
【００４９】
ユーザは、携帯電話機１Ａから携帯電話機１Ｂに権利情報を転送させたいときに、携帯電話機１Ａと携帯電話機１Ａとを近接させる。携帯電話機１Ａと携帯電話機１Ｂとは、相互に通信可能領域に設置されたときに接続を開始する（Ｓ２０１）。そして、携帯電話機１Ａと携帯電話機１Ｂとは、相互認証を行う（Ｓ２０３）。
【００５０】
相互認証に成功すると、携帯電話機１Ａは、例えばユーザにより操作キー１２ａを介して選択されることにより選出された権利情報を、携帯電話機１Ｂに対して送信する。携帯電話機１Ｂはこの権利情報を受信する（Ｓ２０５；図６の（ｆ））。
【００５１】
携帯電話機１Ａは、携帯電話機１Ｂに対して送信した権利情報を、携帯電話機１Ａの記憶部１７から削除する（Ｓ２０６）。そして、携帯電話機１Ａと携帯電話機１Ｂとは相互に接続を解除する（Ｓ２０７）。これにより、録画装置２で録画された録画データは、権利情報を保持する携帯電話機１Ｂでしか再生できなくなるため、例えば録画装置２を家族で共有して利用する場合においても録画データのプライバシー保護や他人からの録画データの盗聴の防止などが実現される。
【００５２】
このようにして携帯電話機１Ａは、ユーザの指示に基づいてユーザ所望の権利情報を携帯電話機１Ｂに送信するとともに、自らの記憶装置（記憶部１７）に記憶されている権利情報を削除する。これにより、その録画データの再生権利は、携帯電話機１Ａから携帯電話機１Ｂに委譲される。
【００５３】
次に、録画装置２は、権利情報を保持している携帯端末に、ステップＳ１１３にて録画した録画データを送信する再生制御処理を行う。録画装置２がこの再生制御処理を行う際の手順を、図１０に示すフローチャートに基づいて説明する。なお、携帯電話機１Ｂが、ステップＳ２０５にて携帯電話機１Ａから受信した権利情報を用いて、録画データを取得する場合について説明する。
【００５４】
ユーザは、録画装置２に録画されて記憶されている録画データを、録画装置２から携帯電話機１Ｂに転送させるように指示を出す。そのためにユーザが携帯電話機１Ｂと録画装置２とを近接させる（図２（Ａ）に示す状態になる）と、携帯電話機１Ｂと録画装置２とは相互に接続を開始する（Ｓ３０１）。そして携帯電話機１Ｂと録画装置２とは、Ｓ１０３と同様にして相互認証を行う（Ｓ３０３）。
【００５５】
相互認証に成功すると、携帯電話機１Ｂは録画装置２に録画データの取得要求を送信する（Ｓ３０５）。このとき携帯電話機１Ｂは、予約番組情報４２や鍵情報４３を含んでいる権利情報（ステップＳ２０５にて携帯電話機１Ａから受信した権利情報）を録画装置２に送信する。録画装置２はこの権利情報を受信する。
【００５６】
録画装置２は、ステップＳ３０５にて受信した権利情報の正当性を確認する（Ｓ３０７）。このとき録画装置２は、携帯端末において権利情報が偽装されることを防止するために、例えばＨＡＳＨ値やＭＡＣ値などを用いて、録画装置２により生成された正当な権利情報であるか否かを確認する。そして録画装置２は、携帯電話機１Ｂに対して取得応答を送信する（Ｓ３０９）。このとき、ステップＳ３０７にて正当なものであると確認された場合、取得許可の情報が送信されて、正当でないものであると確認された場合、取得不可の情報が送信される。
【００５７】
録画装置２は、ステップＳ３０７にて確認された権利情報が正当な情報であるか否かを判断し（Ｓ３１１）、正当な情報でなかった場合（Ｓ３１１のＮｏ）は、録画データを送信せずにそのまま終了する。正当な情報であった場合（Ｓ３１１のＹｅｓ）は、ステップＳ３０５にて受信した権利情報に基づいて録画データを抽出して、携帯電話機１Ｂにその録画データを転送する（Ｓ３１５；図５の（ｆ）、図６の（ｇ））。携帯電話機１Ｂはこの録画データを受信する。
【００５８】
ステップＳ３１５における録画データの転送が完了すると、録画装置２はこの録画データを削除する（Ｓ３１７）。また、携帯電話機１Ｂは、ステップＳ３１５にて受信した録画データを再生する（Ｓ３１９）。この再生処理は、受信した直後に限らず、ユーザの指示に基づいて行われれば良い。
【００５９】
このようにして録画装置２は、携帯端末から権利情報を受信した際に、この権利情報の正当性を確認して、正当な権利情報であった場合にのみこの権利情報に基づいて録画データを抽出して、その携帯端末に送信する。そして録画装置２は、録画データの送信が完了した後に録画データを削除することで、他のユーザがこの録画データに不当にアクセスしてしまうことを防止し、各々の携帯端末のユーザのプライバシーを確実に保護することができる。
【００６０】
なお、録画装置２は携帯電話機１Ａ、１Ｂ、１Ｃを充電する電力供給機能を備えていて、携帯電話機１を充電する際に、充電と同時に、第１実施形態乃至第３実施形態にて示した処理を行っても良い。図１１（Ａ）乃至（Ｅ）は、録画装置２が電力供給機能を備えていた場合の、録画再生システム１００の使用例を示す概略図である。
【００６１】
始めに、図１１（Ａ）に示すように、ユーザは、例えば外出先等で携帯電話機１Ａに予約情報を入力して録画予約を設定する。次に、図１１（Ｂ）に示すように、ユーザが帰宅したときに携帯電話機１Ａを充電器（録画装置２）に設置することにより、携帯電話機１Ａの充電が開始される。このとき、ユーザが携帯電話機１Ａを充電するために携帯電話機１Ａを録画装置２に接続したついでに、携帯電話機１Ａにて入力された予約情報を録画装置２に転送させることができる。
【００６２】
その後、図１１（Ｃ）に示すように、録画装置２は予約情報に基づいて録画（フルセグ録画）を行い、トランスコードして記憶する。図１１（Ｄ）に示すように、録画後に携帯電話機１Ａが録画装置２に接続されると、録画装置２により録画されて記憶されている録画データが携帯電話機１Ａに転送される。そして、図１１（Ｅ）に示すように、ユーザは携帯電話機１Ａを保持して外出し、その外出先等で携帯電話機１Ａを用いてその録画データが再生させて、その録画番組を視聴することができる。
【００６３】
このように、録画再生システムにおいて録画装置２に充電機能を持たせることで、ユーザに特別な行動をさせることなく、携帯電話機１Ａ、１Ｂ、１Ｃを充電するライフサイクルに合わせて、携帯電話機１Ａ、１Ｂ、１Ｃの録画再生処理が制御される。
【００６４】
本発明に係る録画装置２、携帯端末（携帯電話機）１Ａ、１Ｂ、１Ｃ、録画再生システム１００、及び、これらの録画装置２、携帯電話機１Ａ、１Ｂ、１Ｃ、録画再生システム１００における録画再生方法によると、録画装置２が再生機器（携帯電話機１Ａ、１Ｂ、１Ｃなど）毎に録画データを管理しつつ、再生機器間で録画データの再生権利を移譲することが可能となる。これにより、携帯端末を家族の各々が保持するとともに録画装置２を家族で共有して利用する場合において、録画データのプライバシー保護や第三者による録画データの盗聴の防止などを実現しつつ、他のユーザに録画データの取得権利を譲渡すること（すなわち、例えば家族内の他のユーザに録画予約を依頼して、後にその録画データを自端末にて再生するなど）が可能となる。
【００６５】
本発明の携帯端末の説明として、携帯電話機１Ａ、１Ｂ、１Ｃについて説明したが、これに限らず、ＰＨＳ（Ｐｅｒｓｏｎａｌ  Ｈａｎｄｙｐｈｏｎｅ  Ｓｙｓｔｅｍ）、ＰＤＡ、携帯音楽プレイヤー、携帯ゲーム機、携帯テレビ、ノート型ＰＣ等、通信機能や動画の再生機能を備えている携帯端末であれば、任意の携帯端末であっても良い。
【符号の説明】
【００６６】
１００…録画再生システム，１Ａ、１Ｂ、１Ｃ…携帯電話機，２…録画装置，１０…主制御部，１１…電源回路部，１２…操作入力制御部，１２ａ…操作キー，１３…表示制御部，１３ａ…ディスプレイ，１４…音声制御部、１４ａ…マイクロフォン，１４ｂ…スピーカ，１５…通信制御部，１５ａ…アンテナ，１６…近距離無線通信制御部，１６ａ…アンテナ，１７…記憶部，１８…外部接続部，２０…主制御部，２１…電源回路部，２２…テレビ受信部，２２ａ…アンテナ，２３…近距離無線通信制御部，２３ａ…操作入力制御部，２４…記憶部，２５…外部接続部，３０…登録機器情報，４０…予約番組リスト，４１…機器情報，４２…予約番組情報，４３…鍵情報。
【図１】
2011139118.tif 000003
【図２】
2011139118.tif 000004
【図３】
2011139118.tif 000005
【図４】
2011139118.tif 000006
【図５】
2011139118.tif 000007
【図６】
2011139118.tif 000008
【図７】
2011139118.tif 000009
【図８】
2011139118.tif 000010
【図９】
2011139118.tif 000011
【図１０】
2011139118.tif 000012
【図１１】
2011139118.tif 000013